(57)【要約】【課題】従来の地下室防水工法は、基本的にコンクリート外壁周辺に防水剤を塗布した断熱保温板を設けているが、地下室内部への水の侵入を完全には防止できなかったほかに、断熱保温板等にコストがかかっていた。【解決手段】本発明工法は、安価な薬液である発泡剤を土壌とコンクリート外壁との空間、或いは土壌自他の隙間に浸透させて密封し、土壌中の水分や地上からの水分がコンクリート壁材を浸透して地下室内部に入らないようにコンクリート外壁部で止水する新規な地下室防水工法を提供するものである。併せて断熱性や防音性に優れた効果を有する地下室を提供するものである。【選択図】図１
2004263495.tif 000002
【特許請求の範囲】
【請求項１】
地下室設置予定地の周囲に鋼枠材を打設したあとに、鋼枠内を掘削した土壌面に矢板材を横方向に打ち付けて土壌止めをする地下室防水工法において、
土壌掘削面に平行となるように矢板材をうち付けた後に該矢板材の内側に沿って、外面に小孔を有するパイプを縦状に配置する第一工程と、
土台からの鉄筋枠を中心にコンクリート壁材を打設する第二工程と、
次いで順次水と反応するが水には不溶性の薬液である発泡剤を前記パイプ内に充填してパイプ底部から発砲させながら上方に移動させ、前記発泡剤が注入口付近で確認される迄充填を行ってパイプ周囲を発泡剤で密封することによって土壌からの浸水を防止する第三工程と、からなること特徴とする地下室防水工法。
【請求項２】
前記パイプは、丸形、長方形、半球型パイプであって、材質として塩化ビニール、ビニール等の硬軟材からなるパイプであることを特徴とする請求項１記載の地下室防水工法。
【請求項３】
地下室設置予定地の周囲に鋼枠材を打設したあとに、鋼枠内を掘削した土壌面に矢板材を横方向に打ち付けて土壌止めをする地下室防水工法において、
土壌掘削面に平行となるように矢板材をうち付けた後に該矢板材の内側に沿って、鉄筋を含んだラス材を設置する第一工程と、
土台からの鉄筋枠を中心にコンクリート壁材を打設する第二工程と、
次いで順次水と反応するが水には不溶性の薬液である発泡剤を前記ラス材内に充填して底部から発砲させながら上方に移動させ、前記発泡剤が注入口付近で確認される迄充填を行ってラス材周囲を発泡剤で密封することによって土壌からの浸水を防止する第三工程と、からなること特徴とする地下室防水工法。
【請求項４】
地下室設置予定地の周囲に鋼枠材を打設したあとに、鋼枠内を掘削した土壌面に矢板材を横方向に打ち付けて土壌止めをする地下室防水工法において、
矢板面及び内側型枠内に沿ってコンクリートを打設する際に任意箇所に先端を養生した中空形状の筒体を埋設しながらコンクリート壁を作る第一工程と、
内側型枠を撤去後、前記中空形状筒体内部に鉄棒を打ち込み筒体先端口を開放して土壌内部に穴を開ける第二工程と、
次いで水と反応するが水には不溶性の薬液である発泡剤を前記筒体に充填して先端から発砲させながら土壌内に浸透させ、筒体内部及び筒体先端周囲の土壌空間を発泡剤によって密封することによって土壌からの浸水を防止する第三工程と、からなることを特徴とする地下室防水工法。
【発明の詳細な説明】
【０００１】
【発明の属する技術分野】
本発明は、地下室の防水工法に関し、更に詳しくは、地下室外壁からの水の侵入を防止すると共に、断熱効果や防音効果に優れたコンクリート壁材を提供する地下室防水工法に関するものである。
【０００２】
【従来技術】
従来、地下室の築造工法としては、敷地面積が広い場合には建家敷地を広く掘削して地下室土台や側壁を組立ててから周囲を埋め戻していたが、この工法では費用と作業日数が多くかかっていた。
【０００３】
都市での建築の場合、周囲に人家が多いために掘削面積を少なく、また作業が早くできる工法として特開平１１−１５８８９１号「住宅用地下室の築造方法」は、地下室を築造すべき地盤に所用の範囲にわたり連壁を構築するための縦溝を所定の深さまで掘削する住宅用地下室の構造方法において、縦溝を掘削する前に先行穴としての小穴を複数個、所定間隔で所定の深さまで掘削し、次いで掘削連接部分を区画するためにロッキングパイプを任意の小穴部分に配設する」住宅用地下室の築造方法が開示されている。
【０００４】
さらに従来の工法では、地下室の基礎底盤の上に多量の鉄筋を配筋して型枠を組み付け、外壁厚が厚くなるように大量のコンクリートを打設して建物自体の強度を保つようにすると共に、コンクリート外壁面には雨や地下水の侵入を防止するために念入りな防水加工が施されているが、この工法の場合、多くの工程や大量の建築材料を要する等の問題があった。
【０００５】
このため、特開２００１−２８８７５９号「中空樹脂成形板を用いた組立式地下室とその施工方法」は、「ベースブロックと、上端押さえ部材と、中空壁パネルと、コーナー柱部材とから構成される地下室に、前記中空壁パネルとして熱可塑性樹脂成形材又は熱可塑性樹脂成形材及びセルロース系の破砕物の混合原料等を成形素材として、押出機で成形して中空部を有する中空樹脂成形板を用いることによって簡単な工数、短い工期、低価格で施工すると共に、狭い場所でも施工ができる工法」を開示する。
【０００６】
【発明が解決しようとする課題】
上記の従来工法では、室内への水の侵入や結露防止のために一旦打設したコンクリート壁材の外装部に防水加工を施さなければならないという課題があったが、この場合、狭い箇所での工事や防水加工材に高価な加工材を用いなければならないという問題があった。
【０００７】
また地下室における断熱面や防音面を考慮した場合、従来の工法では、できあがった地下室内壁に断熱材や防音材を貼って対応するしか手段がなかった。
【０００８】
従ってコンクリート壁材の防水性のみでなく、断熱性や防音性に優れた一種類の素材を用いて、断熱効果を有して結露が生じなく、且つ防音性に優れている地下室の建造が望まれていた。
【０００９】
【課題を解決するための手段】
本発明者はかかる課題を解決するために鋭意研究したところ、掘削した土壌面とコンクリート外壁材の間に発泡剤を充填させて、この発泡剤が土壌内、土壌とコンクリート外壁材との空間を密封することによって、コンクリート外壁面への水の侵入を防止すると共に、断熱性や防音性にも優れた効果を有することを見いだし、本発明の地下室防水工法を提供するものである。
【００１０】
すなわち本発明の第一は、地下室設置予定地の周囲に鋼枠材を打設したあとに、鋼枠内を掘削した土壌面に矢板材を横方向に打ち付けて土壌止めをする地下室防水工法において、土壌掘削面に矢板材をうち付けた後に該矢板材の内側に沿って、外面に小孔を有するパイプを縦状に配置する第一工程と、土台からの鉄筋枠を中心にコンクリート壁材を打設する第二工程と、次いで順次水と反応するが水には不溶性の薬液である発泡剤を前記パイプ内に充填してパイプ底部から発砲させながら上方に移動させ、前記発泡剤が注入口付近で確認される迄充填を行ってパイプ周囲を発泡剤で密封することによって土壌からの浸水を防止する第三工程と、からなること特徴とする地下室防水工法である。
【００１１】
本発明の第二は、前記パイプは、丸形、長方形、半球型パイプであって、材質として塩化ビニール、ビニール等の硬軟材からなるパイプであることを特徴とする請求項１記載の地下室防水工法である。
【００１２】
本発明の第三は、地下室設置予定地の周囲に鋼枠材を打設したあとに、鋼枠内を掘削した土壌面に矢板材を横方向に打ち付けて土壌止めをする地下室防水工法において、土壌掘削面に平行となるように矢板材をうち付けた後に該矢板材の内側に沿って、鉄筋を含んだラス材を設置する第一工程と、土台からの鉄筋枠を中心にコンクリート壁材を打設する第二工程と、次いで順次水と反応するが水には不溶性の薬液である発泡剤を前記ラス材内に充填して底部から発砲させながら上方に移動させ、前記発泡剤が注入口付近で確認される迄充填を行ってラス材周囲を発泡剤で密封することによって土壌からの浸水を防止する第三工程と、からなること特徴とする地下室防水工法である。
【００１３】
本発明の第四は、地下室設置予定地の周囲に鋼枠材を打設したあとに、鋼枠内を掘削した土壌面に矢板材を横方向に打ち付けて土壌止めをする地下室防水工法において、矢板面及び内側型枠内に沿ってコンクリートを打設する際に任意箇所に先端を養生した中空形状の筒体を埋設しながらコンクリート壁を作る第一工程と、内側型枠を撤去後、前記中空形状筒体内部に鉄棒を打ち込み筒体先端口を開放して土壌内部に穴を開ける第二工程と、次いで水と反応するが水には不溶性の薬液である発泡剤を前記筒体に充填して先端から発砲させながら土壌内に浸透させ、筒体内部及び筒体先端周囲の土壌空間を発泡剤によって密封することによって土壌からの浸水を防止する第三工程と、からなることを特徴とする地下室防水工法である。
【００１４】
【発明の実施の形態】
図１は、本発明工法の実施例１によって得られた地下室の平面図である。通常、地下室を構築するには、建物の配置と基準になるゼロレベルの位置を確定したあと、アースドリルを装着した重機によって土の崩落を防止するＨ型鋼枠が所定間隔で地中に打設され、さらにＨ型鋼の貫入部に鉄板を被せて安全を確保している。
【００１５】
掘削部分の周辺の補強を行ったと後に、重機が敷地内に入り掘削を行うが、この場合、掘削をしながらＨ型鋼枠の間に矢板を横方向に挿入する。このような作業を繰り返して基礎の最下面まで掘削した後に、基礎より深い部分に雨水タンクと汚水タンクの埋設するための竪穴を掘って埋設し、その後に、防湿用、新鮮空気取り入れ用の配管を埋設する。
【００１６】
次いで、底盤の整地と共に砕石を敷いた後に転圧をかけ、更に底部に一定厚の捨てコンクリートを打設し、耐圧基礎底盤の配筋作業を行ってからコンクリートの打設をおこなった。さらに、基礎底盤から伸びる鉄筋に壁側の鉄筋を連結して、側壁に沿って方枠を立ち上げ、コンクリートを流し込んで地下室壁材とする。
【００１７】
以下、実施例を参照に本発明の地下室防水工法を、詳細に説明する。
【００１８】
【実施例１】
（パイプを介在させる防水工法）
図１及び図２に示すようにＨ型鋼枠を打設して掘削しながら矢板止めをする場合に、土壌掘削面に平行にＨ型鋼枠等に矢板材を約５〜１０ｍｍの隙間を設けて打ち付けた後に、該矢板材の内側（地下室よりに）に沿って、外面に小孔を複数有するパイプを縦状に配列させながら板で固定した（第一工程）。
【００１９】
この場合、用いるパイプの形状は、丸形、長方形、半球型パイプであって、材質として塩化ビニール、ビニール等の硬軟材からなるものを使用できるが、配列する際には、後で充填する発泡剤が矢板同士の隙間を通って土壌内部に浸透させるためにも、或いはコンクリート外壁との間の空間部にも充填しながら密封させるためにも、パイプ間同士の間に若干の空間を設けることが望ましい。
【００２０】
次いで、基礎底盤から伸びる鉄筋に壁側の鉄筋を連結して、側壁に沿って方枠を立ち上げ、コンクリートを流し込んで地下室壁材とする（第二工程）。コンクリート打設後、方枠を取り外すと地下室内壁面となるが、一方外壁側には、先に配置したパイプ列が矢板面と外壁面との間に位置するようになり、これらの間には空間部が生ずる。
【００２１】
次いで順次水と反応するが水には不溶性の薬液である発泡剤を、流込み器としてスカインを用いて前記パイプ内に充填してパイプ底部から発砲させながら上方に移動させ、前記発泡剤が注入口付近で確認される迄充填を行ってパイプ周囲を発泡剤で密封することによって土壌からの浸水を防止する（第三工程）が、この場合、使用する発泡剤としては、水とは反応するが水に溶けない性質を有する薬液であるタックス（ＴＡＣＳＳ商品名）であるが、この薬液は、疎水性のイソシアネート化合物が主成分であり、構造物や地中の水と反応して水に不溶性のポリ尿素ゲル（ウレタン樹脂）を生成するものである。
【００２２】
この発泡剤は、非抱水ゲルであり、地下室外壁剤と矢板間の空間、或いは矢板間を通って土壌の隙間に浸透しながら上部に出てくるために、コンクリート上部や土壌の表面で均一になったことを確認して注入を中止する。なおこの場合、上記タックス（ＴＡＣＳＳ商品名）のみでなく、水分の存在下で発砲する性質を有する発泡剤ならば、本発明工法に使用できるのは勿論である。
【００２３】
或いは、上記タックス薬液に代わって、粒径の細かいアルミニウム粉末や他の金属粉末と、反応促進剤として水酸化カルシウムや苛性ソーダと反応させて、水素ガスを発生させながら発砲することによって、地下室外壁剤と矢板間の空間、或いは矢板間を通って土壌の隙間に浸透しながらこれらを密封させてもよい。
【００２４】
このようにして得られた密封体は、防水性に優れているために土壌側からの水分をコンクリート外壁に届かないように止水効果を有する他、従来、コンクリート外壁側周辺に約５ｃｍの断熱保温板を使用していた代わりに、断熱材としての役割を果たし、更に防音性に優れた効果を示すものである。
【００２５】
【実施例２】
（鉄筋入りラス材を介する場合）
図３に示すようにＨ型鋼枠を打設して掘削しながら矢板止めをする場合に、土壌掘削面に平行となるように矢板材をうち付けた後に該矢板材の内側に沿って、鉄筋を含んだラス材を設置しながら、こられのラス材を固定した（第一工程）。
【００２６】
次いで、基礎底盤から伸びる鉄筋に壁側の鉄筋を連結して、側壁に沿って方枠を立ち上げ、コンクリートを流し込んで地下室壁材とする（第二工程）。コンクリート打設後、方枠を取り外すと地下室内壁面となるが、一方外壁側には、先に配置したラス材が矢板面と外壁面との間にクッションの働きを成して位置し、これらの間には空間部が生ずる。
【００２７】
次いで順次水と反応するが水には不溶性の薬液である発泡剤を、前記ラス材設置の空間部内に充填して底部から発砲させながら上方に移動させ、前記発泡剤が注入口付近で確認される迄充填を行ってラス材周囲を発泡剤で密封することによって土壌からの浸水を防止する（第三工程）が、この場合、発泡剤であるタックス（ＴＡＣＳＳ商品名）薬液は、先に水を流した後にラス材を配置した空間部から注入するとよい。
【００２８】
注入された発泡剤は、水と反応しながらポリ尿素ゲル（ウレタン樹脂）を生成しながら土壌の隙間や、ラス材の周囲を囲みながら上方に移動してくるが、注入レベルまで到達したときに、発泡剤の注入を中止するとよい。
【００２９】
このようにして得られた密封体は、実施例１と同様に断熱保温板の代わりに止水効果に優れ、更に断熱効果、防音効果を有するものである。
【００３０】
【実施例３】
（中空円筒体を介する工法）
図４に示すように、矢板面及び内側型枠内に沿ってコンクリートを打設する際に任意箇所に先端を養生した複数の中空形状の筒体を埋設しながらコンクリート壁を作る（第一工程）。
【００３１】
コンクリート壁材ができあがった後に矢板や内側型枠を除去し、コンクリート外壁に土壌を埋め戻すか、或いは、矢板をそのまま残したままで内側型枠を撤去後、前記中空形状筒体内部に鉄棒を打ち込み筒体先端口を開放して土壌内部に穴を開ける（第二工程）。
【００３２】
この場合、中空形状筒体の先端には、壁材の打設時に土壌からの水分や打設時のコンクリートが逆流しないように蓋材を被せておくとよい。
【００３３】
次いで水と反応するが水には不溶性の薬液である発泡剤を前記筒体に充填して先端から発砲させながら土壌内に浸透させ、筒体内部及び筒体先端周囲の土壌空間を発泡剤によって密封することによって土壌からの浸水を防止する（第三工程）が、この場合、発泡剤であるタックス（ＴＡＣＳＳ商品名）薬液は、流込み器であるスカインを用いて円筒入口部から圧力をかけながら送液し、延筒先端の周囲土壌の隙間に浸透させながら注入するとよい。
【００３４】
注入された発泡剤は、水と反応しながらポリ尿素ゲル（ウレタン樹脂）を生成しながら土壌の隙間に浸透しながら筒体先端の周囲を密封すると共に、中空筒体内部自体も密封することを確認して、発泡剤の注入を中止するとよい。
【００３５】
このようにして得られた密封体は、実施例１及び実施例２と同様に断熱保温板の代わりに止水効果に優れ、更に断熱効果、防音効果を有するものであるが、この場合、発泡剤であるタックス（ＴＡＣＳＳ商品名）薬液は、先に水を流した後に中空筒体の入り口から注入するとよい。
【００３６】
【発明の効果】
本発明の防水工法は、従来工法のようにコンクリート外壁材周囲に断熱保温板を用いる必要が無いために構造的にコストが安くできる製造できる他、コンクリート外壁と土壌との間に発泡剤が侵入して土壌の隙間や、土壌と外壁との間の空間部を密封することによって土壌や地上からの雨水等の浸水を防ぐことができるものである。
【００３７】
この発泡剤によって密封された密封体は、上記の止水効果の他に、断熱効果及び防音効果に優れた性質を有し、このために地下室内室における結露の発生を無くすることができるために快適な地下空間を与えることができるものである。
【図面の簡単な説明】
【図１】本発明工法の第一実施例における地下室を上からみた断面図である。
【図２】図１における部分拡大図である。
【図３】本発明工法の第二実施例における断面を示す部分拡大図である。
【図４】本発明工法の第三実施例における断面を示す部分拡大図である。
【符号の説明】
１・・・地下室中央部
２・・・コンクリート壁材
３・・・パイプ
４・・・矢板
５・・・Ｈ型鋼枠
６０・・土壌
６１・・発泡剤浸透土壌
７・・・ビニールシート材
８・・・鉄枠
９・・・円筒棒
１０・・蓋部
１１・・鉄棒
１２・・ハンマー
【図１】
2004263495.tif 000003
【図２】
2004263495.tif 000004
【図３】
2004263495.tif 000005
【図４】
2004263495.tif 000006